(57)【要約】【課題】自然環境を保護し、内部構造の設計、製造などを容易に行う側面封止の詰め替えインクカートリッジを提供する。【解決手段】側面封止の詰め替えインクカートリッジは、ケース１およびサイドカバー２を備える。ケース１は、幅狭長尺状のプラスチック製ケースであり、垂直に配置されたサイフォン３を有するインクタンク１１が内部に設けられ、全面的に中空にされ、インクタンク１１に連通した側面開口部１２が側面に設けられ、インクタンク１１に連通したインク注入口４が頂面に設けられ、インク吐出口５が底面に設けられ、係合部６およびチップ収納部７が前面に接続される。サイドカバー２は、側面開口部１２に対応した形状を有するプラスチック製プレートであり、ケース１の側面開口部１２に接続され、側面開口部１２を密封する。【選択図】図１
0003155835.tif 000002
【実用新案登録請求の範囲】
【請求項１】
ケースおよびサイドカバーを備える側面封止の詰め替えインクカートリッジであって、
前記ケースは、幅狭長尺状のプラスチック製ケースであり、垂直に配置されたサイフォンを有するインクタンクが内部に設けられ、全面的に中空にされ、前記インクタンクに連通した側面開口部が側面に設けられ、前記インクタンクに連通したインク注入口が頂面に設けられ、インク吐出口が底面に設けられ、係合部およびチップ収納部が前面に接続され、
前記サイドカバーは、前記側面開口部に対応した形状を有するプラスチック製プレートであり、前記ケースの前記側面開口部に接続され、前記側面開口部を密封することを特徴とする側面封止の詰め替えインクカートリッジ。
【請求項２】
前記ケースは、一体成形された矩形ケースであり、前記側面開口部が側面に設けられ、
前記側面開口部は、前記ケースの内側に周設された嵌合溝を有し、
前記サイドカバーの内面には、前記嵌合溝に嵌合される少なくとも１つの突片が設けられていることを特徴とする請求項１に記載の側面封止の詰め替えインクカートリッジ。
【請求項３】
前記サイフォンは、前記インクタンクの中に一体成形された矩形管であり、
前記インクタンクは、前方タンクおよび後方タンクに区分けされ、
前記サイフォンには、中空状の側面管口が設けられ、前記サイフォンの外側には、前記前方タンクおよび前記後方タンクの少なくとも１つの注入流路が連通され、
前記サイフォンの中の上端および下端にはそれぞれ前記ケースの外側に連通した貫通孔が設けられ、
前記サイドカバーは、前記サイフォンの前記側面管口を覆うことを特徴とする請求項１に記載の側面封止の詰め替えインクカートリッジ。
【請求項４】
前記係合部は、前記ケースの前面に一体成形された矩形状スリーブを有し、
前記矩形状スリーブには、可動型の係合部材が結合されることを特徴とする請求項１に記載の側面封止の詰め替えインクカートリッジ。
【請求項５】
前記チップ収納部は、前記ケースの前面に接続されるベースを有し、
前記ベースの前面にはチップ槽が設けられていることを特徴とする請求項１に記載の側面封止の詰め替えインクカートリッジ。
【考案の詳細な説明】
【技術分野】
【０００１】
本考案は、側面封止の詰め替えインクカートリッジに関し、特に、幅狭長尺状のプラスチック製ケースの側面に封止アセンブリ構造が設けられた詰め替えインクカートリッジ構造に関する。
【背景技術】
【０００２】
一般にインクジェットプリンタのインクカートリッジは、ユーザ自ら交換することができる。インクカートリッジの中のインクが無くなった場合、インクジェットプリンタから古いインクカートリッジを取り出し、新しいインクカートリッジと交換する。このインクカートリッジは、詰め替えインクカートリッジを選択することもできる。
【０００３】
インクカートリッジが詰め替えインクカートリッジの場合、インクが無くなったときに、インク注入孔を開いて中にインクを注入すると、インクカートリッジを繰り返して使用することができ、これにより印刷コストを低減させることができる。
【０００４】
ただし、従来の詰め替えインクカートリッジは、インクジェットプリンタの機種に応じて製造する必要があり、一般にプラスチック一体成形方式により、幅狭長尺状の矩形ケースに製造されていた。矩形ケースの内部にはインクタンクが設けられ、矩形ケースの頂端にはインクタンクに連通した開口部が設けられている。開口部およびインクタンクは、トップカバーで覆われ、密封されている。
【０００５】
しかし、インクタンクは単純な矩形構造ではなく、インク漏れを防ぐために、サイフォン、インク流路、インク吐出口などの構造を内部に設ける必要があったが、従来の詰め替えインクカートリッジは、矩形ケースの頂端に開口部およびトップカバーが設けられていたために、奥行きの深い空間の中にサイフォン、インク流路、インク吐出口などの構造を製作することは困難であった。
【０００６】
即ち、射出成形の成形金型の設計、型開などを行うことが困難であった。そのため、自然環境を保護しながら、内部構造の設計、製造などを容易に行うことができる詰め替えインクカートリッジが求められていた。
【考案の概要】
【考案が解決しようとする課題】
【０００７】
本考案の目的は、自然環境を保護し、内部構造の設計、製造などを容易に行う側面封止の詰め替えインクカートリッジを提供することにある。
【課題を解決するための手段】
【０００８】
上記課題を解決するために、本考案の第１の形態によれば、ケースおよびサイドカバーを備える側面封止の詰め替えインクカートリッジであって、前記ケースは、幅狭長尺状のプラスチック製ケースであり、垂直に配置されたサイフォンを有するインクタンクが内部に設けられ、全面的に中空にされ、前記インクタンクに連通した側面開口部が側面に設けられ、前記インクタンクに連通したインク注入口が頂面に設けられ、インク吐出口が底面に設けられ、係合部およびチップ収納部が前面に接続され、前記サイドカバーは、前記側面開口部に対応した形状を有するプラスチック製プレートであり、前記ケースの前記側面開口部に接続され、前記側面開口部を密封することを特徴とする側面封止の詰め替えインクカートリッジが提供される。
【０００９】
また、前記ケースは、一体成形された矩形ケースであり、前記側面開口部が側面に設けられ、前記側面開口部は、前記ケースの内側に周設された嵌合溝を有し、前記サイドカバーの内面には、前記嵌合溝に嵌合される少なくとも１つの突片が設けられていることが好ましい。
【００１０】
また、前記ケースは、頂面、底面、前面および後面に接続された外壁と、前記外壁に隣接された内壁と、前記外壁と前記内壁との間に設けられた前記嵌合溝と、を有することが好ましい。
【００１１】
また、前記サイフォンは、前記インクタンクの中に一体成形された矩形管であり、前記インクタンクは、前方タンクおよび後方タンクに区分けされ、前記サイフォンには、中空状の側面管口が設けられ、前記サイフォンの外側には、前記前方タンクおよび前記後方タンクの少なくとも１つの注入流路が連通され、前記サイフォンの中の上端および下端にはそれぞれ前記ケースの外側に連通した貫通孔が設けられ、前記サイドカバーは、前記サイフォンの前記側面管口を覆うことが好ましい。
【００１２】
また、前記係合部は、前記ケースの前面に一体成形された矩形状スリーブを有し、前記矩形状スリーブには、可動型の係合部材が結合されることが好ましい。
【００１３】
また、前記チップ収納部は、前記ケースの前面に接続されるベースを有し、前記ベースの前面にはチップ槽が設けられていることが好ましい。
【考案の効果】
【００１４】
本考案の側面封止の詰め替えインクカートリッジは、ケースを全面的に中空にし、インクタンクに連通した側面開口部およびサイドカバーの構造により、インクタンクの中にサイフォン、インク吐出部などの構造を一体成形することにより、自然環境を保護し、内部構造の設計、製造などを容易に行うことができる。
【図面の簡単な説明】
【００１５】
【図１】本考案の一実施形態による側面封止の詰め替えインクカートリッジを示す分解斜視図である。
【図２】本考案の一実施形態による側面封止の詰め替えインクカートリッジのケースを示す側面図である。
【図３】本考案の一実施形態による側面封止の詰め替えインクカートリッジを組み立てたときの状態を示す斜視図である。
【図４】本考案の一実施形態による側面封止の詰め替えインクカートリッジにインクを注入するときの状態を示す側面図である。
【図５】本考案の一実施形態による側面封止の詰め替えインクカートリッジを組み合わせたときの状態を示す底面図である。
【図６】本考案の一実施形態による側面封止の詰め替えインクカートリッジの係合部材を指で押すときの状態を示す斜視図である。
【図７】本考案の一実施形態による側面封止の詰め替えインクカートリッジのベースを交換するときの状態を示す斜視図である。
【考案を実施するための形態】
【００１６】
以下、本考案の実施形態について図に基づいて説明する。なお、これによって本考案が限定されるものではない。
【００１７】
図１および図２を参照する。図１および図２に示すように、本考案の一実施形態による側面封止の詰め替えインクカートリッジは、ケース１およびサイドカバー２を含む。
図１に示すように、ケース１は、射出成形方式で一体形成された幅狭長尺状の矩形プラスチック製ケースである。
ケース１の内部には、垂直に配置されたサイフォン３を有するインクタンク１１が設けられ、ケース１の側面には、全面的に中空で、インクタンク１１に連通した側面開口部１２が設けられている。
ケース１の頂面には、インクタンク１１に連通したインク注入口４が設けられている。ケース１の底面にはインク吐出口５が設けられている。
ケース１の前面には、係合部６およびチップ収納部７が接続されている。
図１に示すように、ケース１の側面開口部１２に、ケース１の側面開口部１２に対応した形状を有するプラスチック製プレートであるサイドカバー２を接続することにより密封を行い、側面封止の詰め替えインクカートリッジを完成させる。
【００１８】
図１および図２を再び参照する。図１および図２に示すように、本考案の一実施形態による側面封止の詰め替えインクカートリッジは、ケース１の側面開口部１２が、ケース１の内側に周設された嵌合溝１３をさらに含む。
ケース１は、頂面、底面、前面および後面に接続された外壁１４と、外壁１４に隣接された内壁１５と、外壁１４と内壁１５との間に設けた嵌合溝１３と、を有する。
サイドカバー２の内面には、嵌合溝１３に嵌合させる１つ以上の突片２１が設けられ、図３に示すように、本実施形態による側面封止の詰め替えインクカートリッジは、ケース１の側面開口部１２に、サイドカバー２を接続して封止を行うことができる。
本実施形態の側面封止アセンブリ構造は、全面的に中空にしたケース１と、インクタンク１１に連通した側面開口部１２と、サイドカバー２とを含む。
この構成により、サイフォン３、インク吐出口５などの構造をインクタンク１１の中へ容易に一体成形させ、自然環境を保護しながら、内部構造の設計、製造などを容易に行うことができる。
【００１９】
図１および図２を再び参照する。図１および図２に示すように、本考案の一実施形態による側面封止の詰め替えインクカートリッジは、内部構造の設計、製造などを容易に行うために、インクタンク１１の中の矩形管にサイフォン３を一体成形し、インクタンク１１を前方タンク１１１と後方タンク１１２とに区分けする。
サイフォン３には、中空状の側面管口３１が設けられている。
サイフォン３の側面管口３１をサイドカバー２で覆って方形状のサイフォン３を形成し、サイフォン現象の機能を得る。
サイフォン３には、前方タンク１１１および後方タンク１１２に連通した１つ以上の注入流路３２が外側に設けられている。
サイフォン３の内側の上端および下端には、ケース１の外面に連通した貫通孔３３がそれぞれ設けられている。
各貫通孔３３の中には、スポンジ３４が詰められ、貫通孔３３の外側には剥がすことが可能なフィルム３５が貼り付けられ、サイフォン３を用いるとインク漏れを防ぐことができる。
さらに、本実施形態は、従来技術で用いていたスポンジの毛細管力に代え、サイフォン３のサイフォン現象を利用しているため、スポンジが必要なく、インクによりスポンジが腐食されることがない。そのため、インクカートリッジを繰り返して使用し、再利用の回数を増やすことができる。その結果、自然環境を保護することができる。
【００２０】
図１〜図４を参照する。図１〜図４に示すように、インク注入口４には、着脱自在なプラグ４１が結合されている。
インクカートリッジの中のインクが無くなると、インク注入口４からプラグ４１を外してインクを注入し、インクカートリッジを再利用することができる。これにより、自然環境を保護する。
【００２１】
図１および図２に示すように、インク吐出口５は、インクタンク１１の中に一体成形され、引き回されたインク吐出流路５１と、インク吐出流路５１およびケース１の底面に接続されたインク吐出孔５２と、を含む。
インク吐出孔５２の中には、スプリング５３およびゴムリング５４が順次結合され、図５に示すように、ゴムリング５４の中央部分にはピンホール５４１が設けられている。
【００２２】
図１〜図６に示すように、係合部６には、可動型の係合部材６２が結合され、ケース１の前面には、矩形状スリーブ６１が一体成形されている。ユーザは、指で係合部材６２を押すだけで、詰め替えインクカートリッジをプリンタ（図示せず）へ強固に結合させることができる。
【００２３】
図１〜図７に示すように、チップ収納部７は、ケース１の前面に接続されるベース７１を含む。
ベース７１は、チップ槽７１１が前面に設けられ、Ｔ字状孔７１２が後面に設けられ、ケース１の前面にはＴ字状ブロック７２が凸設されている。そのため、ベース７１がＴ字状孔７１２を介してＴ字状ブロック７２に結合され、チップ槽７１１の中に制御プリンタおよびインクカートリッジのチップ（図示せず）を取り付けることができる。
また、インクカートリッジのチップを使用した後は、インクカートリッジ全体を交換する必要がなく、インクカートリッジのチップおよびベース７１を交換するだけで交換作業を行うことができる。これにより、自然環境を保護することができる。
【００２４】
本考案のインクカートリッジが使用する材料は、インクに対して耐腐食性が高いため、インクカートリッジを繰り返して使用することができる。そのため、自然環境を保護することができる。
【００２５】
本考案の側面封止の詰め替えインクカートリッジは、側面で開くことができるケースおよびサイドカバーを利用し、ケースを射出成形した後、側面から型開、離型を行い、ケースの側面開口部にサイドカバーを取り付けて封止を行う。これにより、自然環境を保護し、内部構造の設計、製造などを容易に行うことができる。
【００２６】
当該分野の技術を熟知するものが理解できるように、本考案の好適な実施形態を前述の通り開示したが、これらは決して本考案を限定するものではない。本考案の主旨と領域を脱しない範囲内で各種の変更や修正を加えることができる。従って、本考案の実用新案登録請求の範囲は、このような変更や修正を含めて広く解釈されるべきである。
【符号の説明】
【００２７】
１  ケース
２  サイドカバー
３  サイフォン
４  インク注入口
５  インク吐出口
６  係合部
７  チップ収納部
１１  インクタンク
１２  側面開口部
１３  嵌合溝
１４  外壁
１５  内壁
２１  突片
３１  側面管口
３２  注入流路
３３  貫通孔
３４  スポンジ
３５  フィルム
４１  プラグ
５１  インク吐出流路
５２  インク吐出孔
５３  スプリング
５４  ゴムリング
６１  矩形状スリーブ
６２  係合部材
７１  ベース
７２  Ｔ字状ブロック
１１１  前方タンク
１１２  後方タンク
５４１  ピンホール
７１１  チップ槽
７１２  Ｔ字状孔
【図１】
0003155835.tif 000003
【図２】
0003155835.tif 000004
【図３】
0003155835.tif 000005
【図４】
0003155835.tif 000006
【図５】
0003155835.tif 000007
【図６】
0003155835.tif 000008
【図７】
0003155835.tif 000009